(57)【要約】【課題】熱交換器の下面と底板のフランジ部との隙間の風の流れと水はけを改善し、熱交換効率を向上させ、暖房時の着氷を防止することができる空気調和機の室外機を提供する。【解決手段】熱交換器１２と送風機１３を内蔵し、天板８と、側板９と、フランジ部１０を備えると共に前記熱交換器１２の下面に被さる底板１１とを有する空気調和機の室外機において、前記フランジ部１０の側面に、１つ以上の通気開口部１４を間隔をおいて設けたもので、前記熱交換器１２の下面と前記底板１１の前記フランジ部１０との隙間に、前記フランジ部１０の側面に設けた通気開口部１４から風と水が抜け、前記熱交換器１２の下面の風の流れと水はけが良くなるので、熱交換の効率が向上し、暖房時の着氷を防止することができる。【選択図】図１
2006153331.tif 000002
【特許請求の範囲】
【請求項１】
熱交換器と送風機を内蔵し、天板と、側板と、フランジ部を備えると共に前記熱交換器の下面に被さる底板とを有する空気調和機の室外機において、前記フランジ部の側面に、１つ以上の通気開口部を間隔をおいて設けたことを特徴とする空気調和機の室外機。
【請求項２】
熱交換器と送風機を内蔵し、天板と、側板と、フランジ部を備えると共に前記熱交換器の下面に被さる底板とを有する空気調和機の室外機において、前記フランジ部の下面に、１つ以上の通気開口部を間隔をおいて設けたことを特徴とする空気調和機の室外機。
【請求項３】
熱交換器と送風機を内蔵し、天板と、側板と、フランジ部を備えると共に前記熱交換器の下面に被さる底板とを有する空気調和機の室外機において、前記フランジ部の下面コーナー部に、１つ以上の通気開口部を間隔をおいて設けたことを特徴とする空気調和機の室外機。
【発明の詳細な説明】
【技術分野】
【０００１】
本発明は、空気調和機の室外機に関し、特に吸い込み風路の構造に関するものである。
【背景技術】
【０００２】
従来、この種の空気調和機の室外機は、本体の一部を構成する底板に、強度を保つために、フランジ部が付いているが、底板のフランジ部の影響による通風抵抗と水はけの悪さが課題になっていた。そこで、底板のフランジ部の通風抵抗を避け、かつ、熱交換器下部の水はけを改善し、熱交換の効率の向上と、暖房時の熱交換器と底板との着氷を防ぐ目的で、底板のフランジ部のコーナー部に切り欠きを付けているものがあった（例えば、特許文献１参照）。
【０００３】
図７は、上記特許文献１に記載された従来の空気調和機の室外機の斜視図である。図７に示すように、室外機本体は、天板１と、側板２と、フランジ部３を備えた底板４から成り、熱交換器５と送風機６を備え、熱交換器５の下面に底板４のフランジ部３が隙間を設けて被さっており、底板４のコーナー部には、切り欠き７が設けられ、送風機６の作用で風が流れ、熱交換器５で空気が熱交換される。
【特許文献１】特開平１１−１４１９１９号公報
【発明の開示】
【発明が解決しようとする課題】
【０００４】
しかしながら、前記従来の空気調和機の室外機の構成では、底板４のコーナー部に、通風抵抗を避け、かつ、熱交換器５の下部の水はけを改善する目的で切り欠き７が設けられているものの、底板４に、強度を保つためにフランジ部３が全周についているため、熱交換器５の下面と底板４のフランジ部３との隙間の風の流れが悪く、熱交換の効率が悪く、水はけが悪いという課題を有していた。
【０００５】
本発明は、前記従来の課題を解決するもので、簡単な構造で、フランジ構造を保ちながら、天板の強度を損なうことなく、熱交換器の下面と底板のフランジ部との間の隙間の風の流れと水はけを改善し、熱交換の効率の向上と暖房時の着氷を防止することができる空気調和機の室外機を提供することを目的とする。
【課題を解決するための手段】
【０００６】
前記従来の課題を解決するために、本発明の空気調和機の室外機は、熱交換器と送風機を内蔵し、天板と、側板と、フランジ部を備えると共に前記熱交換器の下面に被さる底板とを有する空気調和機の室外機において、前記フランジ部の側面に、１つ以上の通気開口部を間隔をおいて設けたもので、前記熱交換器の下面と前記底板の前記フランジ部との隙間に、前記フランジ部の側面の前記通気開口部から風と水が抜け、前記熱交換器の下面の風の流れと水はけが良くなるので、熱交換の効率が向上し、暖房時の着氷を防止することができる。
【０００７】
また、本発明の空気調和機の室外機は、熱交換器と送風機を内蔵し、天板と、側板と、フランジ部を備えると共に前記熱交換器の下面に被さる底板とを有する空気調和機の室外機において、前記フランジ部の下面に、１つ以上の通気開口部を間隔をおいて設けたもので、前記熱交換器の下面と前記底板の前記フランジ部との隙間に、前記フランジ部の下面の前記通気開口部から風と水が抜け、前記熱交換器の下面の風の流れと水はけが良くなるので、熱交換の効率が向上し、暖房時の着氷を防止することができる。
【０００８】
さらに本発明の空気調和機の室外機は、熱交換器と送風機を内蔵し、天板と、側板と、フランジ部を備えると共に前記熱交換器の下面に被さる底板とを有する空気調和機の室外機において、前記フランジ部の下面コーナー部に、１つ以上の通気開口部を間隔をおいて設けたもので、前記熱交換器の下面と前記底板の前記フランジ部との隙間に、前記フランジ部の下面コーナー部の前記通気開口部から風と水が抜け、前記熱交換器の下面の風の流れと水はけがさらに良くなるので、熱交換の効率が向上し、暖房時の着氷を防止することができる。
【発明の効果】
【０００９】
本発明の空気調和機の室外機は、簡単な構造で、フランジ構造を保ちながら、底板の強度を損なうことなく、熱交換器の下面と底板のフランジ部との隙間に、通気開口部から風と水が抜け、熱交換器の下面の風の流れと水はけが良くなるので、熱交換の効率が向上し、暖房時の着氷を防止することができる。
【発明を実施するための最良の形態】
【００１０】
第１の発明は、熱交換器と送風機を内蔵し、天板と、側板と、フランジ部を備えると共に前記熱交換器の下面に被さる底板とを有する空気調和機の室外機において、前記フランジ部の側面に、１つ以上の通気開口部を間隔をおいて設けたもので、前記熱交換器の下面と前記底板の前記フランジ部との隙間に、前記フランジ部の側面の前記通気開口部から風と水が抜け、前記熱交換器の下面の風の流れと水はけが良くなるので、熱交換の効率が向上し、暖房時の着氷を防止することができる。
【００１１】
第２の発明は、熱交換器と送風機を内蔵し、天板と、側板と、フランジ部を備えると共に前記熱交換器の下面に被さる底板とを有する空気調和機の室外機において、前記フランジ部の下面に、１つ以上の通気開口部を間隔をおいて設けたもので、前記熱交換器の下面と前記底板の前記フランジ部との隙間に、前記フランジ部の下面の前記通気開口部から風と水が抜け、前記熱交換器の下面の風の流れと水はけが良くなるので、熱交換の効率が向上し、暖房時の着氷を防止することができる。
【００１２】
第３の発明は、熱交換器と送風機を内蔵し、天板と、側板と、フランジ部を備えると共に前記熱交換器の下面に被さる底板とを有する空気調和機の室外機において、前記フランジ部の下面コーナー部に、１つ以上の通気開口部を間隔をおいて設けたもので、前記熱交換器の下面と前記底板の前記フランジ部との隙間に、前記フランジ部の下面コーナー部の前記通気開口部から風と水が抜け、前記熱交換器の下面の風の流れと水はけがさらに良くなるので、熱交換の効率がさらに向上し、暖房時の着氷を防止することができる。
【００１３】
以下、本発明の実施の形態について、図面を参照しながら説明する。なお、この実施の形態により本発明が限定されるものではない。
【００１４】
（実施の形態１）
図１は、本発明の第１の実施の形態における空気調和機の室外機の斜視図、図２は、図１のＣ−Ｃ断面図である。
【００１５】
図１、図２において、本実施の形態における空気調和機の室外機は、天板８と、側板９と、フランジ部１０を備えた底板１１から成り、内部に熱交換器１２と送風機１３を備え、前記熱交換器１２の下面に被さる前記底板１１の前記フランジ部１０の側面に、１つ以上の通気開口部１４が間隔をおいて設けてあり、さらに、前記熱交換器１２の下面に前記底板１１の前記フランジ部１０が隙間１５を設けて被さっている。
【００１６】
以上のように構成された空気調和機の室外機について、以下その動作、作用を説明する。
【００１７】
まず、送風機１３が作動すると、Ｂ方向に風が流れ、前記熱交換器１２が熱交換される。この時、前記熱交換器１２の下面と前記底板１１の前記フランジ部１０との間の隙間１５に、前記フランジ部１０の側面に設けた通気開口部１４よりＤ方向に風が抜け、逆方向に水が抜け、前記熱交換器１２の下面の風の流れと水はけが良くなる。
【００１８】
以上のように、本実施の形態によれば、前記熱交換器１２の下面に被さる前記底板１１の前記フランジ部１０の側面に、１つ以上の前記通気開口部１４を間隔をおいて設けたことにより、前記熱交換器１２の下面と前記底板１１の前記フランジ部１０との間の前記隙間１５に、前記フランジ部１０の側面に設けた前記通気開口部１４から風が抜け、前記熱交換器１２の下面の風の流れと水はけが良くなる。これによって、簡単な構造で、フランジ構造を保ちながら、天板８の強度を損なうことなく、熱交換効率が向上し、暖房時の着氷を防止することができる。
【００１９】
（実施の形態２）
図３は、本発明の第２の実施の形態における空気調和機の室外機の斜視図、図４は、図３のＥ−Ｅ断面図である。なお、上記実施の形態と同一部分については、同一符号を付してその説明を省略する。
【００２０】
本実施の形態は、図３、４に示すように、熱交換器１２の下面に被さる前記底板１６に設けたフランジ部１７の下面に１つ以上の通気開口部１８を間隔をおいて設けたもので、他の構成は、上記第１の実施の形態と同じである。
【００２１】
以上のように構成された空気調和機の室外機について、以下その動作、作用を説明する。
【００２２】
まず、前記送風機１３が作動すると、Ｂ方向に風が流れ、前記熱交換器１２が熱交換される。この時、前記熱交換器１２の下面と前記底板１６の前記フランジ部１７との前記隙間１５に、前記フランジ部１７の下面に設けた通気開口部１８からＦ方向に風が抜け、逆方向に水が抜け、前記熱交換器１２の下面の風の流れと水はけが良くなる。
【００２３】
なお、図３、図４に示すように、上記第１の実施の形態に示す通気開口部１４を加えると、さらに熱交換器１２の下面の風の流れと水はけが良くなる。
【００２４】
以上のように、本実施の形態においては、前記熱交換器１２の下面に被さる前記底板１６の前記フランジ部１７の下面に、１つ以上の前記通気開口部１８を間隔をおいて設けたことにより、前記熱交換器１２の下面と前記底板１６の前記フランジ部１７との前記隙間１５に、前記フランジ部１７の下面の前記通気開口部１８から風と水が抜け、前記熱交換器１２の下面の風の流れと水はけが良くなる。これによって、簡単な構造で、フランジ構造を保ちながら、底板の強度を損なうことなく、熱交換の効率が向上し、暖房時の着氷を防止することができる。
【００２５】
（実施の形態３）
図５は、本発明の第３の実施の形態における空気調和機の室外機の斜視図、図６は、図５のＧ−Ｇ断面図である。なお、上記実施の形態と同一部分については、同一符号を付してその説明を省略する。
【００２６】
上記実施の形態では、通気開口部をフランジ部の側面又は／および底面に設けたが、本実施の形態では、熱交換器１２の下面に被さる底板１９に設けたフランジ部２０の下面コーナー部に間隔をおいて１つ以上の通気開口部２１を設けたもので、他の構成は上記実施の形態と同じである。
【００２７】
以上のように構成された空気調和機の室外機について、以下その動作、作用を説明する。
【００２８】
まず、送風機１３が作動すると、Ｂ方向に風が流れ、熱交換器１２が熱交換される。この時、熱交換器１２の下面と底板１９のフランジ部２０との隙間１５に、前記フランジ部２０の下面コーナー部に間隔をおいて設けた通気開口部２１から、Ｄ方向、Ｆ方向、Ｈ方向から風が抜け、逆方向に水が抜け、熱交換器１２の下面の風の流れと水はけがさらに良くなる。
【００２９】
以上のように、本実施の形態においては、熱交換器１２の下面に被さる底板１９のフランジ部２０の下面コーナー部に、１つ以上の通気開口部２１を間隔を空けて設けたことにより、熱交換器１２の下面と底板１９のフランジ部２０との間の隙間１５に、フランジ部２０の下面コーナー部に配した通気開口部２１から風と水が抜け、熱交換器１２の下面の風の流れと水はけがさらに良くなる。これによって、簡単な構造で、フランジ構造を保ちながら、底板１９の強度を損なうことなく、熱交換の効率をさらに向上させ、暖房時の着氷をさらに防止することができる。
【産業上の利用可能性】
【００３０】
以上のように、本発明にかかる空気調和機の室外機は、簡単な構造で、フランジ構造を保ちながら、天板の強度を損なうことなく、熱交換器の下面と底板のフランジ部との間の隙間に、通気開口部から風と水が抜け、熱交換器の下面の風の流れと水はけが良くなり、熱交換の効率が向上し、暖房時の着氷を防止することができるので、熱交換器と送風機とフランジ部を備えた底板から成る空気調和機等に広く適用できる。
【図面の簡単な説明】
【００３１】
【図１】本発明の実施の形態１における空気調和機の室外機の斜視図
【図２】図１のＣ−Ｃ断面図
【図３】本発明の実施の形態２における空気調和機の室外機の斜視図
【図４】図３のＥ−Ｅ断面図
【図５】本発明の実施の形態３における空気調和機の室外機の斜視図
【図６】図５のＧ−Ｇ断面図
【図７】従来の空気調和機の室外機の斜視図
【符号の説明】
【００３２】
８  天板
９  側板
１０  フランジ部
１１  底板
１２  熱交換器
１３  送風機
１４  通気開口部
１６  底板
１７  フランジ部
１８  通気開口部
１９  底板
２０  フランジ部
２１  通気開口部
【図１】
2006153331.tif 000003
【図２】
2006153331.tif 000004
【図３】
2006153331.tif 000005
【図４】
2006153331.tif 000006
【図５】
2006153331.tif 000007
【図６】
2006153331.tif 000008
【図７】
2006153331.tif 000009